(57)【要約】本発明は、変化する色の光３１１を生成するように構成される照明ユニットの光に動的なカラースキームを課す方法を提供する。本方法は、着色されたエンティティ１００の第一の色と第二の色とをセンサ２１０で検出し、タイムスキームに従って着色されたエンティティの第一の色と第二の色との間の照明ユニット３００の光３１１の色を変える。本発明は、さらに、係る方法における仕様向けのセンサ２１０及び制御ユニット２２０を備えるカラーセンサユニット２００を提供する。
2013524409.tif 000002
【特許請求の範囲】
【請求項１】
変化する色の光を生成するために構成される照明ユニットの光に動的なカラースキームを課す方法であって、
当該方法は、
着色されたエンティティの少なくとも第一の色と第二の色とをセンサが検出するステップと、
タイムスキームに従って前記着色されたエンティティの前記第一の色と前記第二の色との間で前記照明ユニットの光の色を変えるステップと、
を含む方法。
【請求項２】
前記着色されたエンティティは、複数の色をもつカラーストリップを有する、
請求項１記載の方法。
【請求項３】
前記照明ユニットによる２つの色の生成の間の時間期間は、前記着色されたエンティティの前記第一の色の検出と前記第二の色の検出との間の時間期間に関連する、
請求項１又は２記載の方法。
【請求項４】
前記タイムスキームは予め定義される、
請求項１又は２記載の方法。
【請求項５】
前記タイムスキームのセンサが読取り可能な識別子を表示するエンティティから前記タイムスキームを選択するステップを含む、
請求項１又は２記載の方法。
【請求項６】
第一の色で開始し且つ第二の色で終了する着色されたエンティティの一連の色を前記センサが検出するステップと、
前記タイムススキームに従って前記着色されたエンティティの前記第一の色と前記第二の色との間の前記一連の色を通して前記照明ユニットの光の色を変えるステップと、
を含む請求項１又は２記載の方法。
【請求項７】
センサ及び制御ユニットを備えるカラーセンサユニットであって、
前記センサは、着色されたエンティティの少なくとも第一の色と第二の色とを感知し、対応するセンサ信号を制御ユニットに生成し、
前記制御ユニットは、前記センサ信号とタイムスキームに基づいて、前記着色されたエンティティの前記第一の色と前記第二の色との間で照明ユニットの光の色を変えるために構成される、カラーセンサユニット。
【請求項８】
前記センサは、前記タイムスキームのセンサが読取り可能な識別子を表示するエンティティから前記タイムスキームを選択することができるように更に構成される、
請求項７記載のカラーセンサユニット。
【請求項９】
前記カラーセンサユニットは、前記第一の色と前記第二の色とを示すように構成されるインジケータを更に備える、
請求項７又は８記載のカラーセンサユニット。
【請求項１０】
前記カラーセンサユニットは、タイムスキームを選択するユーザ入力装置を更に備える、
請求項７又は８記載のカラーセンサユニット。
【請求項１１】
前記カラーセンサユニットは、前記タイムスキームを示すように構成されるインジケータを更に備える、
請求項７又は８記載のカラーセンサユニット。
【請求項１２】
前記カラーセンサユニットは、（ａ）感知された色及び（ｂ）選択されたタイムスキームの１以上の情報を記憶するために構成されるメモリを更に備える、
請求項７又は８記載のカラーセンサユニット。
【請求項１３】
前記制御ユニットは、前記照明ユニットと無線で通信するように構成される、
請求項７又は８記載のカラーセンサユニット。
【請求項１４】
センサ、制御ユニット及び変化する色の光を生成するように構成される照明ユニットを有するカラーセンサユニットを備える照明システムであって、
前記センサは、着色されたエンティティの少なくとも第一の色と第二の色とを感知し、対応するセンサ信号を前記制御ユニットに生成することができるように構成され、
前記制御ユニットは、前記センサ信号及びタイムスキームに基づいて、前記着色されたエンティティの前記第一の色と前記第二の色との間で前記照明ユニットの光の色を変えるように構成される、照明システム。
【請求項１５】
請求項７又は８記載のカラーセンサユニットと複数の色をカラーストリップを有するエンティティを備えるキットオブパーツ。
【発明の詳細な説明】
【技術分野】
【０００１】
本発明は、照明ユニットの光に動的なカラースキームを課す方法に関する。  
また、本発明は、係る方法で使用されるカラーセンサユニットに関する。  
さらに、本発明は、係る方法を実行するために使用することができる照明システムに関する。
【背景技術】
【０００２】
当該技術分野において照明制御装置が知られている。例えばWO2007/004097号は、照明システムにより放出される光の色の無線制御の装置を記載している。照明システムは、信号受信手段、装置からの受信された色制御信号に応答して、少なくとも１つの照明エレメントから放出される光の色を調節する手段を有する。無線制御の装置は、照明システムにより放出される光の所望の色を示す色情報のデータを生成する手段、色情報のデータに従って第一の搬送波信号を変調する手段、照明システムに前記第一の変調された搬送波信号のビームの形式で前記色制御信号を送信する手段を有する。
【０００３】
WO2008/059411は、光源及びユーザ入力に応答して、光源を制御するために構成されるライトワンドを含む照明システムを記載している。ライトワンドは、第一の光源から提供される第一の光の光属性を複製し、第二の光源が第一の光の光属性を有する第二の光を提供するように、複製された光属性を第二の光源にペーストするように構成される。
【発明の概要】
【課題を解決するための手段】
【０００４】
着色光源の次のステップは、例えば時間的な色の変化といった動的な振る舞いを加えることである。しかし、動的な機能を加えることは、ユーザインタフェース（しばしばリモートコントロール）が動的な機能を達成し、（色相、彩度、輝度を含む）好まれる色を選択し、ループ、２つの色の間の跳ね返り、射撃効果、ランダム等の好まれる効果を選択し、動的な振る舞いの速度を選択するための余分なエレメントを必要とすることを意味する。例えば、所望のタイムスキームは、一連の低速及び高速の遷移から構成されるか、又は例えばファイア（プレース）の動的な光効果を模倣するため、ランダムな遷移からなる変調から構成される。
【０００５】
これは、余分のボタン及びより多くの複雑なユーザインタフェースに容易につながる場合がある。課題は、使用が簡単であって且つ直感的なやり方で機能を提供することである。
【０００６】
従って、本発明の態様は、動的な照明を提供する代替的な方法を提供することであり、これは、更に好ましくは、１以上の上述された問題点を少なくとも部分的に取り除く。
【０００７】
さらに、本発明の態様は、例えば係る方法で使用することができるカラーセンサユニットを提供することであり、このカラーセンサユニットは、更に好ましくは、１以上の上述された問題点を取り除く。
【０００８】
本発明の更なる態様は、本発明の方法を実行する、カラーセンサユニット及び照明ユニットを備える照明システムを提供するものであり、照明システムは、また好ましくは、１以上の上述された問題点を少なくとも部分的に取り除く。
【０００９】
第一の態様では、本発明は、照明ユニットの光に動的なカラースキームを課す方法を提供するものであり、照明ユニットは、可変のカラーの光を生成するために構成され、当該方法は、ａ）センサが、着色されたエンティティの第一の色と第二の色を検出するステップ、ｂ）タイムスキームに従って着色されたエンティティの第一の色と第二の色との間で照明ユニットの光の色を変えるステップを含む。
【００１０】
これにより、本発明は、使用が容易であって且つ遊び感覚の方法で動的な機能をユーザに与える方法を提供する。より詳細には、本方法は、動的なカラーループをどのように容易に生成するかを説明する。
【００１１】
従って、センサは、着色された少なくとも２つの色を（順次に）検出し、制御ユニットは、（タイムスキームとして本明細書で示される）特定の時間展開に従って照明ユニットの光の色にこれらの色を（順次に）課す（以下も参照）。従って、センサは、あるエンティティの色を照明ユニットの光の色に複製するために使用される。しかし、これは、色の単なるコピーではないが、（エンティティの）少なくとも２つの色が複製され、動的なやり方で照明ユニットの光に課される意味で、動的な特徴が追加される。色の動的な変化は、本明細書では、「カラースキーム」、「動的なループ」又は「動的なカラーループ」或いは「カラーループ」として示される。
【００１２】
センサは、光センサを備えており、着色されたプロダクト又はコンストラクションのような、特にカラーチャート又はカラーストリップ（以下を参照）エンティティの色を検出するエンティティの色を検出するように構成される。例えば、エンティティは、複数の色をもつストリップを有するシート又はチャート或いはカード、又は複数の色をもつ複数のストリップのような、複数の色をもつカラーストリップを有する。
【００１３】
色をもつストリップを使用する利点は、例えば係るストリップが屋内の色と比較され、このように、室内の色は、センサによりストリップからの同等又は同一の色を検出することで光の色と容易に重ね合わされる。
【００１４】
また、「着色されたエンティティの少なくとも第一の色と第二の色とをセンサにより検出する」という記載は、第一の色が第一の着色されたエンティティから導出され、第二の色が第二の着色されたエンティティから導出される実施の形態を含む。従って、「着色されたエンティティの少なくとも第一の色と第二の色をセンサにより検出する」という記載は、「少なくとも１つの着色されたエンティティの少なくとも第一の色と第二の色をセンサにより検出する」ことを含む実施の形態を示す。
【００１５】
この文脈において用語「動的なカラースキーム」は、照明ユニットの光の色が第一の色と第二の色との間の所定の時間の間に変動する事実を示す。「第一の色と第二の色との間で変動する」という記載は、第一の色から中間の色を介して第二の色に光の色が変化することを示す。照明ユニットは、例えば、異なる光の色を有する、LEDのような複数の光源を含む。時間に関して光源の強度を調節することで、光の第一の色は弱まり、光の色は、第二の色に変換する。このように、中間の色を介して、照明ユニットの光は、第一の色から第二の色に切り替わる。
【００１６】
実施の形態では、タイムスキームは、第一の色を測定することと第二の色を測定することとの間の時間から導出される。ここで、実施の形態では、照明ユニットにより２つの色の生成の間の時間は、着色されたエンティティの第一の色の検出と第二の色の検出との間の時間の期間に関連する。用語「関連する」は、時間の期間が実質的に同じである実施の形態を含む。しかし、用語「関連する」は、２つの時間の期間の間に予め定義された要素が存在する実施の形態を含む。例えば、照明ユニットにより、第一の色の光を提供することと第二の色の光を提供することとの間の時間の期間は、第一の色を測定することと第二の色を測定することととの間の時間の２倍の時間である。従って、実施の形態では、タイムスキームは、（特に制御ユニットのプロセッサユニットにおいて）予め定義される。
【００１７】
従って、センサユニットの制御ユニットは、第一の色を測定することとと第二の色を測定することとの間の時間を検出するように構成され、予め定義された命令及び／又はユーザ入力の命令（以下を参照）に従って、照明ユニットにより２つの色の生成の間の時間の期間を制御するために構成される。
【００１８】
更に別の変形例では、用語「関連する」は、例えばユーザ入力装置を介してユーザにより定義される２つの時間の期間の間である要素が存在する実施の形態を含む。特定の実施の形態では、センサは、情報を認識することができる。例えば、センサは、バーコードを読み取ることができる。センサにより認識可能な情報により示される１以上のタイムスキームを含むエンティティが使用されるとき、タイムスキームは、係るエンティティから選択される。例えば、複数の色をもつ１以上のカラーストライプを有するチャートであって、バーコードのようなセンサが読取り可能な情報で示される１以上のタイムスキームを有するチャートが使用される場合がある。ここで、本発明は、タイムスキームのセンサが読取り可能な識別子を表示するエンティティからタイムスキームを選択することを含む。当業者にとって明らかであるように、用語「タイムスキーム」は、複数のタイムスキームを示す。エンティティは、（センサが読取り可能な識別子を含む）複数のタイムスキームを示す。
【００１９】
センサは、あるエンティティの色を検出し、制御ユニットは、その色を照明ユニットの光の色に課す。当業者にとって明らかであるように、検出されるべき色と照明ユニットの光に課される色との間で僅かな違いがある。CIE座標の観点で、制御ユニットにより課される照明ユニットの着色された光の色と検出されたエンティティの色との間の違い（Δｘ及び／又はΔｙ）は、例えば０．１又は０．１よりも小さい範囲、好ましくは０．０５及び０．０５よりも小さい範囲にある。このように、エンティティの色がCIE(x,y)（0.2,0.5）として決定されるとき、照明ユニットの対応する光の色は、CIE(x,y)（0.1-0.3,0.4-0.6）の範囲、好ましくは（0.15-0.25,0.45-0.55）の範囲である。
【００２０】
センサ（ユニット、以下を参照）は、エンティティの少なくとも２つの異なる色を検出することができる。しかし、センサ（ユニット）は、第一の色で開始し、第二の色で終わり、その間の一連の色をもつ一連の異なる色を検出することができる。ここで、特定の実施の形態では、本発明は、ａ）第一の色で開始し第二の色で終了する着色されたエンティティの一連の色をセンサで検出するステップ、ｂ）タイムスキームに従って着色されたエンティティの第一の色と第二の色との間の一連の色を通して照明ユニットの光の色を変えるステップを含む方法を提供する。
【００２１】
このように、（順次に）検出された一連の色は、タイムスキームに従って、照明ユニットの光に一連の色として課される。先に記載されたように、少なくとも２つの異なる色は、異なるエンティティからなる場合がある。
【００２２】
本発明は、（本明細書では「センサユニット」としても示される）センサと任意に制御ユニットとを備えるカラーセンサユニットに関する。ａ）センサは、着色されたエンティティの少なくとも第一の色と第二の色とを感知し、対応するセンサ信号を制御ユニットに生成する。ｂ）制御ユニットは、センサ信号とタイムスキームとに基づいて、着色されたエンティティの第一の色と第二の色との間の照明ユニットの光の色を変えるように構成される。
【００２３】
係るカラーセンサユニットは、着色された１又は複数のエンティティの１以上の色を検出するために使用され、制御ユニットを介して、これらの色は、照明ユニットの光に課される。カラーセンサユニットは、センサが検出している色を選択するため、（プレス又はタッチ）ボタン又は他の手段のようなユーザ入力装置を有する。
【００２４】
カラーセンサユニットのセンサは、少なくとも異なる色を検出することができる。従って、このセンサは、「カラーセンサ」として示される。しかし、このセンサは、タイムスキームに属する本明細書で記載された固有の識別子のような他の特性を検出することができる。
【００２５】
特定の実施の形態では、制御ユニットは、照明ユニットと無線で通信するように構成される。このため、カラーセンサは、照明ユニット（の受信機）に制御信号を送信する送信機を有する。代替的な実施の形態では、制御ユニットは、センサユニットにより（全体的に）含まれ、カラーセンサは、制御ユニット（の受信機）にセンサ信号を送信する送信機を有し、次いで照明ユニット（の受信機）に制御信号を生成する。このように、センサユニットは、照明ユニットのリモートコントロールとして使用され、検出された光が照明ユニットの光に課すことができる特徴を有する。ここで、特定の実施の形態では、センサユニットは、照明ユニットのリモートコントロールであり、着色されたエンティティの少なくとも第一の色及び第二の色を感知し、タイムスキームに従って着色されたエンティティの第一の色と第二の色との間の照明ユニットの光の色を制御する能力を更に有する。
【００２６】
制御ユニットは、センサユニットに統合されるが、照明ユニットにも統合される場合がある。別の実施の形態では、制御ユニットは、センサ信号及びタイムスキームに基づいて、着色されたエンティティの第一の色と第二の色との間で照明ユニットの光の色を変えるように構成される複数の制御ユニットを含む。これらの制御ユニットは、互いに（無線で）通信する。更なる実施の形態では、制御ユニットは、カラーセンサに統合される第一の制御信号と、照明ユニットに統合される第二の制御信号とを含み、第一の制御ユニットと第二の制御ユニットは、センサ信号とタイムスキームとに基づいて、着色されたエンティティの第一の色と第二の色との間で照明ユニットの光の色を変えるように構成される。従って、実施の形態では、動的なカラースキームの実行は、例えば照明ユニットで受信機ユニットにおいて行われ、係る受信機ユニットは、制御ユニットを更に有する。係る実施の形態では、カラーセンサユニットは、動的なカラースキームを実行する受信機ユニットに、検出された動的なカラースキームを送信する。このように、カラーセンサは、例えばバッテリパワーを節約するため、例えばスリープ状態になる。
【００２７】
特定の実施の形態では、制御ユニットは、センサユニットに統合される。従って、本発明は、センサ及び制御ユニットを有するカラーセンサユニットを提供し、センサは、（ａ）着色されたエンティティの少なくとも第一の色及び第二の色を感知し、対応するセンサ信号を制御ユニットに生成するように構成され、（ｂ）センサ信号及びタイムスキームに基づいて、着色されたエンティティの第一の色と第二の色との間で照明ユニットの光の色を変えるように構成される。
【００２８】
先に記載されたように、このタイムスキームは予め定義されるか、又はユーザにより定義される。特に後者の場合、センサユニットは、タイムスキーム（又は一連のタイムスキーム）を選択するように構成されるユーザ入力装置が設けられる。従って、実施の形態では、タイムスキームのセンサが読取り可能な識別子を表示するエンティティからタイムスキームを選択するように更に構成される。用語「入力装置」は、実施の形態において、複数のユーザ入力装置を示す。ユーザ入力装置は、照明ユニットの光の強度を制御するために使用される。
【００２９】
センサユニットは、例えばタイムスキーム又は選択された色、或いはこれらの両者を示すインジケータを更に含む。また、インジケータは、バッテリ負荷又はカラーセンサユニットへの到達（すなわち照明ユニットが良好に検出されるか）を示すために使用される。
【００３０】
係るインジケータは、例えばディスプレイであるが、代替的に一連のLEDである場合がある。従って、特定の実施の形態では、カラーセンサユニットは、第一の色と第二の色とを示すように構成されるディスプレイのようなインジケータを更に含む。インジケータは、インジケータの異なる部分で第一の色と第二の色を（同時に）示すように構成されるが、代替的に、第一の色と第二の色とを順次に示すように構成される。さらに、インジケータは、一連の非常に多くの色を示すように構成される。照明ユニットは、光源としてこたいLEDを含む一方、インジケータは、固体LED及び／又は有機LED、特に有機LED（OLED）を特に含む。
【００３１】
更なる実施の形態では、カラーセンサユニットは、タイムスキームを示すように構成されるインジケータを更に含む。従って、センサユニットは、１以上のインジケータを含む。実施の形態では、インジケータは、（同時又は順次に）色及びタイムスキームを示すように使用される。
【００３２】
特定の実施の形態では、カラーセンサユニットは、タイムスキームを選択するためにユーザ入力装置を更に備える。これは、（タッチ又はプレス）ボタン又はスクロールホイールである。同一のユーザ入力装置は、センサが検出している色を選択すること、（例えばそのタイムスキームに属する固有の識別子をセンサが検出するタイムスキームといった）タイムスキームを選択することのような、１を超える機能を有する。（ボタン又はスクロールホイールのような）ユーザ入力装置は、インジケータにより提供される情報のタイプ（例えば色、色の範囲、タイムスキーム）の間で切り替えるために使用される。
【００３３】
制御ユニットは、（ａ）選択された色のセット及び（ｂ）タイムスキームの１以上の情報を記憶するように構成されるメモリを更に有する。先に記載されたように、制御ユニットは、センサユニットに統合されるが、照明システムにおけるようなセンサユニットから離れて構成される場合もある。
【００３４】
カラーセンサユニットは、色がセンサユニットにより検出されるエンティティを照明するように構成される（小型）光源を更に備える。従って、エンティティの色を検出するためにセンサユニットを使用するとき、光源は、エンティティを照明するためにオンに切り替わる。
【００３５】
また、本発明は、装置の込み合わせに関連し、これは物理的に接続される必要はないが、（１）照明ユニットとカラーセンサユニットの組み合わせ、（２）照明ユニットとカラーセンサユニットと複数の色をもつカラーストライプを有するエンティティとの組み合わせ、及び（３）カラーセンサユニットと複数の色をもつカラーストライプを含むエンティティとの組み合わせ、のような通信のために構成される。
【００３６】
更なる態様では、本発明は、（i）センサを有するカラーセンサユニット、（ii）制御ユニット、及び（iii）可変の色の光を生成するために構成される照明ユニットを有する照明システムを提供し、（ａ）センサは、着色されたエンティティの少なくとも第一の色と第二の色を感知し、対応するセンサ信号を制御ユニットに生成するために構成され、（ｂ）制御ユニットは、センサ信号とタイムスキームとに基づいて、着色されたエンティティの第一の色と第二の色との間で照明ユニットの光の色を変えるために構成される。
【００３７】
先に記載されたように、制御ユニットは、センサユニットに統合されるが、照明ユニットにおいて統合される場合もある。原理上は、制御ユニットは、個別の装置であり、センサユニットからセンサ信号を受信し、その信号を照明ユニット（の受信機）への対応するレンダリング信号に処理し、センサ信号とタイムスキームとに基づいて、着色されたエンティティの第一の色と第二の色との間の照明ユニットの光の色を変える。同様に、制御ユニットは、カラーセンサに統合される第一の制御ユニットと、照明ユニットに統合される第二の制御ユニットとを備え、第一及び第二の制御ユニットは、センサ信号とタイムスキームとに基づいて、着色されたエンティティの第一の色と第二の色との間の照明ユニットの光の色を変えるために構成される。
【００３８】
従って、特定の実施の形態では、本発明は、本明細書で定義される（ａ）（制御ユニットを備える）カラーセンサユニット、及び（ｂ）可変の色の光を生成するために構成される照明ユニットを備える照明システムを提供し、照明ユニットの光の色は、カラーセンサユニットにより制御可能である。更なる態様では、本発明は、本明細書で定義される（制御ユニットを備える）カラーセンサユニットを備える「キットオブパーツ“kit  of  parts”」、及び複数の色をもつカラーストリップを備えるエンティティを提供する。なお、本発明の照明システムは、実際には「キットオブパーツ」である。
【００３９】
本発明の方法及び装置によれば、動的な機能は、直感的なやり方で照明に加えられる場合がある。（色相、彩度、輝度を含む）好適な色が選択され、例えばループ、２つの色の間の跳ね返り、射撃効果、ランダム等といった（所望の効果を誘発することを含めて）好適な効果が選択され、動的な振る舞いの速度が選択される。
【図面の簡単な説明】
【００４０】
本発明の実施の形態は、対応する参照符号が対応する構成要素を示す添付図面を参照して、例示により以下に記載される。
【図１】カラーストリップをもつエンティティ、カラーセンサ及び照明ユニットの実施の形態を概念的に示す図である。
【図２】カラーストリップをもつエンティティの実施の形態を詳細に概念的に示す図である。
【図３】カラーセンサユニットの実施の形態を概念的に示す図である。
【発明を実施するための形態】
【００４１】
図１は、参照符号１００で示される、着色されたエンティティの実施の形態を左側に概念的に示す。この実施の形態では、着色されたエンティティ１００は、複数の色をもつカラーストリップ１１０を有する。中央において、ペンのような装置が概念的に示されており、これは、カラーストリップ１１０に沿って時間ｔと共に移動するように概念的に示される。このように、第一の色で開始して第二の色で終了する、一連の色が検出される。ペンのような装置は、参照符号２００で示される、カラーセンサユニットの実施の形態である。
【００４２】
カラーセンサユニット２００及びカラーストリップ１１０を有するエンティティ１００の組み合わせは、参照符号６００で示され、本明細書ではカラーセンサユニット２００と着色されたエンティティ１００のキットオブパーツでもある。
【００４３】
カラーセンサユニット２００は、着色されたエンティティ１００の２以上の色を検出し、それらの色を（制御ユニットにより、以下を参照）照明ユニットの光に課すように構成される。この図の右側には、照明ユニット３００が概念的に示される。この照明ユニット３００は、光源３１０を備える。動作の間、照明ユニット３００（又はこの場合には正確に、照明ユニット３００の光源３１０）は、光３１１を提供する。この光３１１の色は、例えば無線で、カラーセンサユニット２００により制御される。カラーセンサユニット２００の制御信号を受信するため、照明ユニットは、制御ユニット（以下を参照）の制御信号を受信するために構成される受信機３４０を更に備える。
【００４４】
照明ユニット３００とカラーセンサユニット２００の組み合わせは、本明細書において照明システム５０としても示される。
【００４５】
図２は、カラーストリップ１１０をもつ着色されたエンティティ１００の実施の形態を概念的に示す。ここで、実施の形態は、２つのカラーストリップ１１０を例として有しており、１つは青から緑への複数の色を示し、１つは黄色からオレンジへの複数の色を示す。例として、概念的な変形例が示されており、着色されたエンティティ１００は、タイムスキーム１２０（例示により２つのタイムスキームが示される）を更に含み、それぞれセンサが読取り可能な識別子１２１（バーコードとして示される）をもつ。この概念的な実施の形態では、着色されたエンティティ１００及びタイムスキーム１２０のセンサが読取り可能な識別子１２１を表示するエンティティは、１つのエンティティに統合されるが、当業者にとって明らかであるように、２（又は２を超える）個別のエンティティが使用される場合がある。
【００４６】
ここで、示された着色されたエンティティ１００は、カラーセンサユニット２００（図示せず）が第一の色及び第二の色を感知するのを可能にし、タイムスキーム１２０のセンサが読取り可能な識別子１２１からタイムスキーム１２０を選択するのを可能にする。例として、タイムスキームは、１０秒又は１分のような特定の時間であるが、（例えば１０秒又は１分といった）カラーループが繰返されるか、又は前方向及び後方向モードで切替されて跳ね返りループ（bounce  loop）を形成するスキームである。
【００４７】
図３は、カラーセンサユニット２００の実施の形態を（断面図で）詳細に示す図である。カラーセンサユニット２００は、センサ２１０を有し、この概念的に示された実施の形態では制御ユニット２２０も有する。センサ２１０は、（図１及び図２参照、着色されたエンティティの）第一の色と第二の色とを感知することができ、対応するセンサ信号を制御ユニット２２０に生成することができるように構成される。制御ユニット２２０は、センサ信号及びタイムスキームに基づいて、着色されたエンティティ１００（図１及び図２参照）の第一の色と第二の色との間で照明ユニット３００（図１参照）の光３１１の色を変えるように更に構成される。カラーセンサユニット２００は、照明ユニット３００（図１を参照）の受信機３４０に制御信号を（無線で）送信するように構成される送信機２４０を更に有する。先に記載されたように、センサ２１０は、エンティティでのカラースキームの固有の識別子１２１を読み取るために構成される。
【００４８】
カラーセンサユニット２００は、バッテリ負荷、タイムスキーム、色等のような情報を示すため、ディスプレイのようなインジケータ２５０を更に備える。さらに、カラーセンサユニット２００は、（プレス）又はタッチボタン、又はスクロールホイール等のようなユーザ入力装置２３０を備える。
【００４９】
カラーセンサユニット２００は、例えばペンの形状を有する。
【００５０】
どのようにカラーセンサユニット２００が適用されるかは、図３を特に参照して、例において以下に記載される。
【００５１】
カラーセンサユニット２００は、（カラー）センサ２１０を含む。ボタンを押してカラーセンサユニット２００をカラーストリップ１００にわたり移動させることで、カラーセンサユニット２００は、動的なカラーループの色設定を読み取る。例えばRF通信を介して、カラーセンサユニット２００は、動的なカラーループを再生することができる装置、すなわち照明ユニット３００（図１を参照）に、動的なカラーループの（設定）を転送する。
【００５２】
この方法の大きな利点は、所定の室内に適合する動的なカラーループをユーザが非常に容易に作成することができることである。例えばカラーストリップは、室内の絵画の隣にある雑誌に載せることができる。代替的なソリューションは、動的なカラーループの特性は、カラーセンサユニット２００に統合され、ユーザにより実行されるアクションは、例えばカラーストリップの開始の色と中央の色といった２つの（又は２を超える）カラーストリップの異なる色で読み込まれる。カラーセンサユニット２００は、これら異なる色に基づいて流暢な動的なカラーループを生成する。ユーザは、カラーセンサユニット２００をピクチャ又はカラストリップの２つの位置に配置することで、カラーセンサユニット２００により色を定義する必要がある。着色された室内のアイテムは、色を検出するために使用される。ここで、用語「カラーループ“color  loop”」は、例えば第一及び第二の色を検出するために使用される時間といった、特定の時間における照明ユニットの光の第一の色から第二の色への変化を特に示す。
【００５３】
カラーセンサユニット２００の更なる機能は、（時間が第一及び第二の色を検出するために使用される時間により定義されるカラーループに対して）カラーループの速度を増加／減少することである。これは、ボタン、スクロールホイール、又はカラーセンサユニット２００を回転するか又はペンを上／下に移動させるようなジェスチャによるといった、多くのやり方で行うことができる。別のオプションは、LivingColors（登録商標）リモートコントロール（例えばWO2007/105151を参照）といった、リモートコントロールにおけるカラーセンサユニット２００の機能を統合することである。本方法のエンハンスメントは、例えば幾つかのLED及び光ガイド（すなわちインジケータ２５０をもつ）による、カラーセンサユニット２００で動的なカラーループを示すことである。このように、ユーザは、どの動的なカラーループが作成及び／又は選択されるかに関してフィードバックを得る。別のエンハンスメントは、ユーザが彼／彼女の好みのカラーループを記憶（再記憶）するように、カラーセンサユニット２００における動的なカラーループを記憶する可能性である。これは、制御ユニット２２０（のメモリ）で行われる。
【００５４】
図１及び図３を参照して、他の実施の形態も可能であることが記載される。例えば、制御ユニット２２０はセンサユニット２００に統合されるが、制御ユニット２２０は、照明ユニット３００で統合される。原理上、制御ユニット２２０は、個別のユニットであるか又は複数のユニットからなる場合があり、そのうちの一方は、照明ユニット３００に統合され、そのうちの別の１つは、センサユニット２００に統合される場合がある。例えば、センサユニット２００は、センサ信号を送信機２４０を介して、照明ユニット（図示せず）に統合される制御ユニット２２０（より正確には、照明ユニット３００の受信機ユニット３４０）に送信する。制御ユニット２２０は、照明ユニット３００に統合される場合、受信機ユニット３４０は、単一の統合されたユニットであり、好ましくは照明ユニット３００に統合される。
【００５５】
本発明は、家における着色された照明装置（ランプ、発光体）について適用することができるが、店舗及び病院の用途について適用することもできる。
【００５６】
「実質的な全ての放出“substantially  all  emission”」又は「実質的に構成される“substantially  consists”」におけるような本明細書における用語「実質的に“substantially”」は、当業者により理解されるであろう。用語「実質的に」は、「完全に“entirely”」、「完全に“completely”」、「“all”」等をも含む。ここで、実施の形態では、形容詞「実質的に」が除かれる場合もある。必要に応じて、用語「実質的に」は、９５％又はそれ以上、特に９９％又はそれ以上、より好ましくは９９．５％又はそれ以上のような、１００％を含めて９０％又はそれ以上に関連する。用語「備える」は、用語「備える“comprise”」が「から成る“consist  of”」を意味する実施の形態を含む。
【００５７】
さらに、発明の詳細な説明及び特許請求の範囲における用語「第一、第二、第三」等は、類似のエレメント間で区別するために使用され、必ずしも順次又は年代的な順序を示すためのものではない。そのように使用される用語は適切な状況下で交換可能であって、本明細書で記載される本発明の実施の形態は、本明細書で記載又は図示される他のシーケンスにおける動作が可能であることを理解されたい。
【００５８】
本明細書における装置は、特に動作の間に記載される。当業者にとって明らかであるように、本発明は、動作の方法又は動作における装置に限定されない。
【００５９】
上述された実施の形態は、本発明を限定するものではなく例示するものであり、当業者であれば特許請求の範囲から逸脱することなしに多くの代替的な実施の形態を設計することができる。請求項では、括弧間に配置される参照符号は、請求項を限定するものとして解釈されるものではない。動詞「備える“comprise”」及びその派生は、請求項で述べたエレメント又はステップ以外のエレメント又はステップの存在を排除するものではない。エレメントに先行する冠詞“ａ”又は“ａｎ”は、複数の係るエレメントの存在を解除するものではない。
【００６０】
本発明は、幾つかの個別のエレメントを備えるハードウェアにより、適切にプログラムされるコンピュータにより実現される場合がある。幾つかの手段を列挙する装置の請求項では、これらの手段の幾つかは、同一アイテムのハードウェアにより実施される。
【００６１】
所定の手段が相互に異なる従属の請求項で引用される事実はこれらの手段の組み合わせを利用するために使用することができないことを示すものではない。
【図１】
2013524409.tif 000003
【図２】
2013524409.tif 000004
【図３】
2013524409.tif 000005
【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
変化する色の光を生成するために構成される照明ユニットの光に動的なカラースキームを課す方法であって、
当該方法は、
着色されたエンティティの少なくとも第一の色と第二の色とをセンサが検出するステップと、
タイムスキームに従って前記着色されたエンティティの前記第一の色と前記第二の色との間で前記照明ユニットの光の色を変えるステップと、
を含む方法。
【請求項２】
前記着色されたエンティティは、複数の色をもつカラーストリップを有する、
請求項１記載の方法。
【請求項３】
前記照明ユニットによる２つの色の生成の間の時間期間は、前記着色されたエンティティの前記第一の色の検出と前記第二の色の検出との間の時間期間に関連する、
請求項１又は２記載の方法。
【請求項４】
前記タイムスキームは予め定義される、
請求項１又は２記載の方法。
【請求項５】
前記タイムスキームのセンサが読取り可能な識別子を表示するエンティティから前記タイムスキームを選択するステップを含む、
請求項１又は２記載の方法。
【請求項６】
第一の色で開始し且つ第二の色で終了する着色されたエンティティの一連の色を前記センサが検出するステップと、
前記タイムススキームに従って前記着色されたエンティティの前記第一の色と前記第二の色との間の前記一連の色を通して前記照明ユニットの光の色を変えるステップと、
を含む請求項１又は２記載の方法。
【請求項７】
前記センサと制御ユニットを備えるカラーセンサユニットを利用するステップを更に含み、
前記センサは、着色されたエンティティの少なくとも第一の色と第二の色とを感知して、対応するセンサ信号を前記制御ユニットに生成することができるように構成され、
前記制御ユニットは、前記センサ信号及びタイムスキームに基づいて、前記着色されたエンティティの前記第一の色と前記第二の色との間の照明ユニットの光の色を変えるように構成される、
請求項１又は２記載の方法。
【請求項８】
センサ及び制御ユニットを備えるカラーセンサユニットであって、
前記センサは、着色されたエンティティの少なくとも第一の色と第二の色とを感知し、対応するセンサ信号を制御ユニットに生成し、
前記制御ユニットは、前記センサ信号とタイムスキームに基づいて、前記着色されたエンティティの前記第一の色と前記第二の色との間で照明ユニットの光の色を変えるために構成される、カラーセンサユニット。
【請求項９】
前記センサは、前記タイムスキームのセンサが読取り可能な識別子を表示するエンティティから前記タイムスキームを選択することができるように更に構成される、
請求項８記載のカラーセンサユニット。
【請求項１０】
前記カラーセンサユニットは、前記第一の色と前記第二の色とを示すように構成されるインジケータを更に備える、
請求項８又は９記載のカラーセンサユニット。
【請求項１１】
前記カラーセンサユニットは、タイムスキームを選択するユーザ入力装置を更に備える、
請求項８又は９記載のカラーセンサユニット。
【請求項１２】
前記カラーセンサユニットは、（ａ）感知された色及び（ｂ）選択されたタイムスキームの１以上の情報を記憶するために構成されるメモリを更に備える、
請求項８又は９記載のカラーセンサユニット。
【請求項１３】
前記制御ユニットは、前記照明ユニットと無線で通信するように構成され、及び／又は前記センサは、光センサを備える、
請求項８又は９記載のカラーセンサユニット。
【請求項１４】
センサ、制御ユニット及び変化する色の光を生成するように構成される照明ユニットを有するカラーセンサユニットを備える照明システムであって、
前記センサは、着色されたエンティティの少なくとも第一の色と第二の色とを感知し、対応するセンサ信号を前記制御ユニットに生成することができるように構成され、
前記制御ユニットは、前記センサ信号及びタイムスキームに基づいて、前記着色されたエンティティの前記第一の色と前記第二の色との間で前記照明ユニットの光の色を変えるように構成される、照明システム。
【請求項１５】
請求項８又は９記載のカラーセンサユニットと複数の色をカラーストリップを有するエンティティを備えるキットオブパーツ。
【手続補正２】
【補正対象書類名】明細書
【補正対象項目名】０００２
【補正方法】変更
【補正の内容】
【０００２】
当該技術分野において照明制御装置が知られている。例えばWO2007/004097号は、照明システムにより放出される光の色の無線制御の装置を記載している。照明システムは、信号受信手段、装置からの受信された色制御信号に応答して、少なくとも１つの照明エレメントから放出される光の色を調節する手段を有する。無線制御の装置は、照明システムにより放出される光の所望の色を示す色情報のデータを生成する手段、色情報のデータに従って第一の搬送波信号を変調する手段、照明システムに前記第一の変調された搬送波信号のビームの形式で前記色制御信号を送信する手段を有する。
WO2007/085986は、光源により放出された光（L）の色相（H）及び彩度（S）を制御する制御装置を記載する。この装置は、前記光源について利用可能な色相及び彩度の複数の選択可能な組み合わせの目に見える表現を含む表面をもつボディを含む。この装置は、前記表面上の色相及び彩度の組み合わせの選択に応答して少なくとも１つの選択信号を生成する手段、前記選択信号は、選択された色相及び彩度を含み、色相及び彩度の選択された組み合わせに従って光の色相及び彩度を制御するために前記選択信号を前記光源に伝達する手段を更に有する。この制御装置は、シンプル且つユーザが直感的に使える。
WO2006/134529は、赤、緑及び青の光をそれぞれ供給する３つの光源が設けられた照明装置において、３つの光源により生成された光の色及び／又は強度は、調節ポイントにより調節することができることを記載している。調節ポイントに対応する色は、調節ポイントの一部について、隣接する調節ポイントに対応する色間でのCIELAB空間において計算される色差が同じであるように選択される。不慣れなユーザは、所望の色設定を容易に発見することができる。これは、ユーザにより知覚される色における変化は、前記一部に属する全ての調節ポイントについて同じであるからである。
【国際調査報告】
2013524409.tif 000006
2013524409.tif 000007